(57)【要約】【課題】各種電子機器の入力操作用に用いられるタッチパネル用シート及びこれを用いたタッチパネルに関し、構成部品数が少なく、薄型化が図れ安価なものを提供することを目的とする。【解決手段】下面に抵抗体層１２を形成したタッチパネル用シート１４の四辺端部に、前後方向の電極１３Ａと１３Ｂ、及び左右方向の電極１３Ｃと１３Ｄを形成すると共に、この下方に配置された配線基板１５上面に、抵抗体層１２と所定の間隙を空けて対向する導電体層１６を形成してタッチパネルを構成することによって、構成部品数が少なく、薄型化が図れ安価なものを得ることができる。【選択図】　図１
2004102567.tif 000002
【特許請求の範囲】
【請求項１】
可撓性を有する略四角形のシートと、この下面に形成された抵抗体層と、この抵抗体層に接続された四辺端部に形成された電極からなるタッチパネル用シート。
【請求項２】
請求項１記載のタッチパネル用シートと、この下方に配置され、抵抗体層と所定の間隙を空けて対向する導電体層が上面に形成された配線基板からなるタッチパネル。
【発明の詳細な説明】
【０００１】
【発明の属する技術分野】
本発明は、携帯電話や情報端末機器等の各種電子機器の入力操作用に用いられるタッチパネル用シート及びこれを用いたタッチパネルに関するものである。
【０００２】
【従来の技術】
近年、携帯電話や情報端末機器等の、特に携帯用電子機器の薄型化・軽量化が進むなか、これらに用いられるタッチパネルにも同様に薄く軽いものが求められている。
【０００３】
このような従来のタッチパネルについて、図６及び図７を用いて説明する。
【０００４】
図６は従来のタッチパネルの断面図、図７は同分解斜視図であり、同図において、１は略四角形で可撓性を有するフィルム状の上シートで、この下面にはカーボン等の上抵抗体層２が形成されると共に、下面前後の二辺端部には、上抵抗体層２に接続された銀やカーボン等の上電極３Ａと３Ｂが形成されている。
【０００５】
そして、４は同じくフィルム状の下シートで、この上面には下抵抗体層５、及び上面左右の二辺端部には下抵抗体層５に接続された下電極６Ａと６Ｂが形成されている。
【０００６】
また、７は略額縁状のスペーサで、このスペーサ７の上下面に塗布された接着剤によって上シート１と下シート４が貼付されると共に、上シート１下面の上抵抗体層２と下シート４上面の下抵抗体層５が所定の間隙を空けて対向して、タッチパネルが構成されている。
【０００７】
そして、このように構成されたタッチパネルは、上下面に複数の配線パターン（図示せず）が形成されマイコン等の電子部品が実装された配線基板８上に載置され、上下面に接着剤を塗布したフィルム（図示せず）等によって貼付されると共に、上電極３Ａ、３Ｂと下電極６Ａ、６Ｂがテール部１Ａと４Ａを介して、各々電子回路（図示せず）に接続されて電子機器に組込まれる。
【０００８】
以上の構成において、上シート１の上面を指等で押圧操作すると、上シート１が下方へ撓み、この下面の上抵抗体層２の押圧された箇所が、下シート４上面の下抵抗体層５に接触する。
【０００９】
そして、機器の電子回路から上電極３Ａ、３Ｂと下電極６Ａ、６Ｂに順次電圧が印加され、その抵抗値によって押圧された箇所が検出され、これによって電子機器の液晶等の表示画面（図示せず）に表示された、帯状のカーソルや矢印状のポインタ等が移動して、電話番号や各種メニュー等の選択が行われるように構成されているものであった。
【００１０】
なお、この出願の発明に関連する先行技術文献情報としては、例えば、特許文献１が知られている。
【００１１】
【特許文献１】
特開平１０−２６０７６９号公報
【００１２】
【発明が解決しようとする課題】
しかしながら、上記従来のタッチパネルにおいては、上シート１と下シート４、スペーサ７によって構成されたタッチパネルを、上下面に接着剤を塗布したフィルム等によって配線基板８上に貼付する必要があるため、構成部品数が多く、機器への装着にも時間を要すると共に、全体が厚くなり薄型化を図ることが困難であるという課題があった。
【００１３】
本発明は、このような従来の課題を解決するものであり、構成部品数が少なく、薄型化が図れ安価なタッチパネルを提供することを目的とする。
【００１４】
【課題を解決するための手段】
上記目的を達成するために本発明は、以下の構成を有するものである。
【００１５】
本発明の請求項１に記載の発明は、可撓性を有する略四角形のシート下面に抵抗体層を形成すると共に、この四辺端部に抵抗体層に接続された電極を形成してタッチパネル用シートを構成したものであり、このタッチパネル用シートをスペーサ等によって、上面に導電体層が形成された配線基板に貼付するだけでタッチパネルを構成できるため、下シートやタッチパネルを配線基板に貼付するためのフィルム等が不要となり、構成部品数が少なく、薄型化が図れ安価なタッチパネルを実現することができるという作用を有する。
【００１６】
請求項２に記載の発明は、請求項１記載のタッチパネル用シートの下方に配線基板を配置すると共に、この配線基板上面に抵抗体層と所定の間隙を空けて対向する導電体層を形成してタッチパネルを構成したものであり、構成部品数が少なく、薄型化が図れ安価なタッチパネルを得ることができるという作用を有する。
【００１７】
【発明の実施の形態】
以下、本発明の実施の形態について、図１〜図５を用いて説明する。
【００１８】
（実施の形態）
図１は本発明の一実施の形態によるタッチパネルの断面図、図２は同分解斜視図、図３は同タッチパネル用シートの平面図であり、同図において、１１は略四角形で可撓性を有するポリエチレンテレフタレートフィルム等のシートで、この下面にはカーボン等の抵抗体層１２が形成されている。
【００１９】
そして、このシート１１下面の四辺端部には抵抗体層１２に接続された銀やカーボン等の、前後方向の電極１３Ａと１３Ｂ、及び左右方向の電極１３Ｃと１３Ｄが各々形成されて、タッチパネル用シート１４が構成されている。
【００２０】
また、１５は紙フェノールやガラス入りエポキシ等の配線基板で、タッチパネル用シート１４下方に配置され、この配線基板１５の上下面には貼付された銅箔等をエッチング加工して、複数の配線パターン（図示せず）が形成されると共に、マイコン等の電子部品が実装されている。
【００２１】
さらに、配線基板１５の上面には配線パターンと同様に、銅箔等をエッチング加工して導電体層１６が形成されると共に、上下面に接着剤を塗布した略額縁状のスぺーサ１７によって、タッチパネル用シート１４と配線基板１５が貼付され、シート１１下面の抵抗体層１２と配線基板１５上面の導電体層１６が所定の間隙を空けて対向して、タッチパネルが構成されている。
【００２２】
そして、このように構成されたタッチパネルは、前後方向の電極１３Ａと１３Ｂ、及び左右方向の電極１３Ｃと１３Ｄがテール部１１Ａを介して、各々配線基板１５の配線パターンに接続され、電子回路（図示せず）を形成して電子機器に組込まれる。
【００２３】
以上の構成において、シート１１の上面を指等で押圧操作すると、図４の断面図に示すように、シート１１が下方へ撓み、この下面の抵抗体層１２の押圧された箇所が、配線基板１５上面の導電体層１６に接触する。
【００２４】
そして、この時、例えば電子回路から先ず前後方向の電極１３Ａと１３Ｂの間に電圧が印加され、導電体層１６からの出力電圧によって、シート１１前後方向のどの位置が押圧されたかが検出される。
【００２５】
次に、左右方向の電極１３Ｃと１３Ｄの間に電圧が印加され、同じく導電体層１６の出力電圧から、シート１１左右方向のどの位置が押圧されたかを検出することによって、シート１１の押圧位置の検出が行われる。
【００２６】
つまり、下面に抵抗体層１２を形成したタッチパネル用シート１４の、四辺端部に形成された前後方向の電極１３Ａと１３Ｂ、及び左右方向の電極１３Ｃと１３Ｄへ順次電圧を印加し、導電体層１６からの出力電圧によって押圧位置の検出を行うように構成されている。
【００２７】
そして、このようにタッチパネル上面の所定の位置を押圧操作することによって、電子機器の液晶等の表示画面（図示せず）に表示された、帯状のカーソルや矢印状のポインタ等が、押圧位置に応じて上下左右、或いは斜め方向へ移動して、電話番号や各種メニュー等の選択が行われる。
【００２８】
このように本実施の形態によれば、下面に抵抗体層１２を形成したタッチパネル用シート１４の四辺端部に、前後方向の電極１３Ａと１３Ｂ、及び左右方向の電極１３Ｃと１３Ｄを形成すると共に、この下方に配置された配線基板１５上面に、抵抗体層１２と所定の間隙を空けて対向する導電体層１６を形成してタッチパネルを構成することによって、下シートやタッチパネルを配線基板に貼付するためのフィルム等が不要となり、構成部品数が少なく、薄型化が図れ安価なタッチパネル用シート、及びこれを用いたタッチパネルを実現することができるものである。
【００２９】
また、配線基板１５上面の導電体層１６は、銅箔等をエッチング加工して配線パターンと同時に形成でき、カーボン等の印刷も不要となるため、さらに安価なものとすることができる。
【００３０】
なお、以上の説明では、電極１３Ａ〜１３Ｄをシート１１四辺端部のほぼ全幅にわたって形成し、どの箇所でも押圧位置の検出が可能な構成として説明したが、上下或いは左右方向のみの検出だけでよい場合には、図５の平面図に示すように、電極１８Ａや１８Ｂ、電極１８Ｃや１８Ｄをシート１１四辺端部の中央部のみに形成した構成としても、本発明の実施は可能である。
【００３１】
【発明の効果】
以上のように本発明によれば、構成部品数が少なく、薄型化が図れ安価なタッチパネル用シート、及びこれを用いたタッチパネルを得ることができるという有利な効果が得られる。
【図面の簡単な説明】
【図１】本発明の一実施の形態によるタッチパネルの断面図
【図２】同分解斜視図
【図３】同タッチパネル用シートの平面図
【図４】同押圧操作時の断面図
【図５】同他の実施の形態によるタッチパネル用シートの平面図
【図６】従来のタッチパネルの断面図
【図７】同分解斜視図
【符号の説明】
１１　シート
１１Ａ　テール部
１２　抵抗体層
１３Ａ、１３Ｂ、１３Ｃ、１３Ｄ、１８Ａ、１８Ｂ、１８Ｃ、１８Ｄ　電極
１４　タッチパネル用シート
１５　配線基板
１６　導電体層
１７　スぺーサ
【図１】
2004102567.tif 000003
【図２】
2004102567.tif 000004
【図３】
2004102567.tif 000005
【図４】
2004102567.tif 000006
【図５】
2004102567.tif 000007
【図６】
2004102567.tif 000008
【図７】
2004102567.tif 000009